(57)【特許請求の範囲】
【請求項１】
室内の壁面に取り付けられる室内機本体部と、
前記室内機本体部に設けられる空気吸込み口及び空気吹出し口と、
前記室内機本体部内に設けられ、前記空気吸込み口と前記空気吹出し口とを連通する通風路と、
前記通風路内において回転することにより、室内の空気を前記空気吸込み口から吸い込み前記空気吹出し口から吹き出すように送風する横流ファンと、
前記空気吹出し口において上下方向に回動することにより、当該空気吹出し口から吹き出される空気の上下方向の向きを変化させる複数の上下風向板と、
を備え、
前記空気吹出し口は、前記壁面側を構成する一連の平面または曲面からなる部分の長さが前記壁面とは反対側を構成する部分の長さよりも短くなっており、
複数の前記上下風向板のうち最も前記壁面側に設けられている壁面側上下風向板は、その回動軸が前記横流ファンの回転軸よりも前記壁面側に設けられており、且つ、当該壁面側上下風向板が下方に回動することに伴い当該壁面側上下風向板の前記壁面側の端部が前記空気吹出し口内に移動して前記空気吹き出し口の前記壁面側の風路長が延長される空気調和機の室内機。
【請求項２】
前記上下風向板として、前記壁面側上下風向板と、この壁面側上下風向板よりも室内側に設けられている少なくとも１つの室内側上下風向板と、を備え、
前記室内側上下風向板の回動軸に直交する方向に沿う当該室内側上下風向板の長さは、前記壁面側上下風向板の回動軸に直交する方向に沿う当該壁面側上下風向板の長さよりも長い請求項１に記載の空気調和機の室内機。
【請求項３】
前記室内機本体部の高さ寸法は２９５ｍｍであり、
前記横流ファンの径寸法は１１８ｍｍ以上である請求項１または２に記載の空気調和機の室内機。
【請求項４】
前記室内機本体部の高さ寸法は２５０ｍｍであり、
前記横流ファンの径寸法は１００ｍｍ以上である請求項１または２に記載の空気調和機の室内機。
【請求項５】
前記空気吹出し口に着脱可能に取り付けられる左右風向板ユニットをさらに備え、
前記左右風向板ユニットは、
前記空気吹出し口において左右方向に回動することにより、当該空気吹出し口から吹き出される空気の左右方向の向きを変化させる複数の左右風向板と、
複数の前記左右風向板の回動軸間に形成される複数のスペースのうち少なくとも１つのスペースに設けられる突起部と、
を備える請求項１から４の何れか１項に記載の空気調和機の室内機。
【請求項６】
前記左右風向板ユニットは、前記空気吹出し口の左部に取り付けられる左部ユニットと前記空気吹出し口の右部に取り付けられる右部ユニットとに分割されており、
前記左部ユニットに設けられる前記突起部の数と前記右部ユニットに設けられる前記突起部の数が異なっている請求項５に記載の空気調和機の室内機。
【請求項７】
前記左右風向板ユニットは、前記空気吹出し口の左部に取り付けられる左部ユニットと前記空気吹出し口の右部に取り付けられる右部ユニットとに分割されており、
前記左部ユニットに設けられる前記突起部の高さと前記右部ユニットに設けられる前記突起部の高さが異なっている請求項５または６に記載の空気調和機の室内機。
【発明の詳細な説明】
【技術分野】
【０００１】
本発明の実施形態は、空気調和機の室内機に関する。
【背景技術】
【０００２】
例えば特許文献１に開示されているように、空気調和機を構成する室内機は、室内機本体部内に空気吸込み口と空気吹出し口とを連通する通風路を形成し、この通風路内に横流ファンを回転可能に備えている。そして、室内機は、通風路内において横流ファンを回転させることにより、室内の空気を空気吸込み口から吸い込み空気吹出し口から吹き出すように送風する。
【０００３】
ところで、近年では、空気吹出し口から吹き出す風の大風量化或いは安定化を図るために、横流ファンの径寸法を大きくすることが考えられている。しかし、室内機の外殻を構成する本体部の大きさは限られていることから、横流ファンの径寸法を大きくすると、通風路の風路長、特に空気吹出し口の風路長を十分に確保することが困難となる。空気吹出し口の風路長が不十分となる構成では、空気吹出し口におけるいわゆる静圧回復が困難となり、空気吹出し口から吹き出される風を安定させることがでない。そのため、例えば風量が減るなどといった送風性能の低下を招く。
【先行技術文献】
【特許文献】
【０００４】
【特許文献１】特開平１１−３７５３７号公報
【発明の概要】
【発明が解決しようとする課題】
【０００５】
本実施形態は、横流ファンの径寸法を大きくしても送風性能の低下を抑えることができる空気調和機の室内機を提供する。
【課題を解決するための手段】
【０００６】
本実施形態の空気調和機の室内機は、室内機本体部と、空気吸込み口と、空気吹出し口と、通風路と、横流ファンと、複数の上下風向板と、を備える。室内機本体部は、室内の壁面に取り付けられる。空気吸込み口及び空気吹出し口は、室内機本体部に設けられる。通風路は、室内機本体部内に設けられ、空気吸込み口と空気吹出し口とを連通する。横流ファンは、通風路内において回転することにより、室内の空気を空気吸込み口から吸い込み空気吹出し口から吹き出すように送風する。上下風向板は、空気吹出し口において上下方向に回動することにより、当該空気吹出し口から吹き出される空気の上下方向の向きを変化させる。そして、前記空気吹出し口は、前記壁面側を構成する一連の平面または曲面からなる部分の長さが前記壁面とは反対側を構成する部分の長さよりも短くなっており、複数の上下風向板のうち最も壁面側に設けられている壁面側上下風向板は、その回動軸が横流ファンの回転軸よりも壁面側に設けられており、且つ、当該壁面側上下風向板が下方に回動することに伴い当該壁面側上下風向板の壁面側の端部が空気吹出し口内に移動して前記空気吹き出し口の前記壁面側の風路長が延長される。
【図面の簡単な説明】
【０００７】
【図１】本実施形態に係る空気調和機の室内機の構成例を示すものであり、上下風向板が閉じている状態における室内機を示す縦断側面図
【図２】上下風向板が開いている状態における室内機を示す縦断側面図
【図３】左右風向板ユニットの構成例を示す図
【図４】空気吹出し口に取り付けられた左右風向板ユニットの一部を拡大して示す斜視図
【発明を実施するための形態】
【０００８】
以下、空気調和機の室内機の一実施形態について図面を参照しながら説明する。図１に例示する空気調和機の室内機１０は、上下方向の寸法に対して左右方向の寸法が長い横長状をなす室内機本体部１１の内部に、熱交換器１２や横流ファン１３などを備えて構成されている。また、室内機本体部１１の上部には、室内の空気を室内機本体部１１内に吸い込むための空気吸込み口１４が設けられている。また、室内機本体部１１の下部には、室内機本体部１１内に吸い込まれた空気を室内に吹き出すための空気吹出し口１５が設けられている。この室内機本体部１１は、図示しない室内の壁面に取り付けられる。なお、図１では、右側が壁面側であり、左側が室内側である。
【０００９】
室内機本体部１１の内部には、これら空気吸込み口１４から空気吹出し口１５にわたって通風路１６が形成されている。この通風路１６は、空気吸込み口１４と空気吹出し口１５とを連通している。熱交換器１２及び横流ファン１３は、この通風路１６内に配置されている。横流ファン１３は、室内機本体部１１の長手方向、つまり左右方向に沿う回転軸１３ａを中心として回転可能に設けられている。室内機１０は、通風路１６内において横流ファン１３を回転させることにより、室内の空気を空気吸込み口１４から吸い込み空気吹出し口１５から吹き出すように送風する。空気吸込み口１４から吸い込まれた空気は、通風路１６内を流れる過程で熱交換器１２によって熱交換され、周知の暖房運転時では温風として、周知の冷房運転時では冷風として空気吹出し口１５から室内に吹き出される。
【００１０】
本実施形態に係る空気調和機の室内機１０は、従来に比べ横流ファン１３の径寸法が大きく設定されている室内機を対象としており、より具体的には、横流ファン１３の径寸法が室内機本体部１１の高さ寸法の０．４外以上となっている構成を想定している。
即ち、例えば、室内機本体部１１の高さ寸法が２９５ｍｍである場合には、横流ファン１３の径寸法は、その０．４倍の寸法である１１８ｍｍ以上で構成される。なお、室内機本体部１１の高さ寸法が２９５ｍｍ以下である場合には、横流ファン１３の径寸法は、その０．４倍以上の寸法で設定される。また、室内機本体部１１の高さ寸法として設定される「２９５ｍｍ」は、本実施形態の出願時における一般的な家庭用の室内機の高さ寸法の上限値として規定されている寸法である。
【００１１】
また、例えば、室内機本体部１１の高さ寸法が２５０ｍｍである場合には、横流ファン１３の径寸法は、その０．４倍の寸法である１００ｍｍ以上で構成される。なお、室内機本体部１１の高さ寸法が２５０ｍｍ以下である場合には、横流ファン１３の径寸法は、その０．４倍以上の寸法で設定される。また、室内機本体部１１の高さ寸法として設定される「２５０ｍｍ」は、本実施形態の出願時における一般的な家庭用の室内機の平均的な高さ寸法であり、この高さ寸法の室内機であれば、一般的な家屋の窓の上に無理なく設置することが可能である。
【００１２】
空気吹出し口１５には、複数、この場合、２つの上下風向板２１，３１と、複数の左右風向板４１が設けられている。上下風向板２１，３１は、空気吹出し口１５の先端部において上下方向に回動することにより、当該空気吹出し口１５から吹き出される空気の上下方向の向きを変化させる。一方、左右風向板４１は、空気吹出し口１５内において左右方向に回動することにより、当該空気吹出し口１５から吹き出される空気の左右方向の向きを変化させる。
【００１３】
上下風向板２１は、空気吹出し口１５の先端部において最も壁面側に設けられている。以下、この上下風向板２１を「壁面側上下風向板２１」と称する。壁面側上下風向板２１は、室内機本体部１１の長手方向、つまり左右方向に沿う回動軸２１ａを中心に上下方向に回動可能に支持されている。この回動軸２１ａは、横流ファン１３の回転軸１３ａよりも壁面側に設けられている。また、図２に示すように、壁面側上下風向板２１は、その回動軸２１ａを中心に下方に回動することに伴い、当該壁面側上下風向板２１の壁面側の端部２１ｂが空気吹出し口１５の内部に入り込むように移動するようになっている。壁面側上下風向板２１の壁面側の端部２１ｂが空気吹出し口１５の内部に移動することにより、空気吹出し口１５の壁面側の風路長が、壁面側上下風向板２１で延長された状態となる。
【００１４】
上下風向板３１は、空気吹出し口１５の先端部において壁面側上下風向板２１よりも室内側に設けられている。以下、この上下風向板３１を「室内側上下風向板３１」と称する。室内側上下風向板３１は、室内機本体部１１の長手方向、つまり左右方向に沿う回動軸３１ａを中心に上下方向に回動可能に支持されている。この回動軸３１ａは、横流ファン１３の回転軸１３ａよりも室内側に設けられている。また、図２に示すように、室内側上下風向板３１は、その回動軸３１ａを中心に下方に回動することに伴い、壁面側上下風向板２１により風路長が延長された空気吹出し口１５のほぼ中央部に位置する状態となる。よって、この状態では、空気吹出し口１５から吹き出される風の上下方向の向きは、主として室内側上下風向板３１により調整される。
【００１５】
また、この場合、室内側上下風向板３１の回動軸３１ａに直交する方向に沿う当該室内側上下風向板３１の長さＬ１は、壁面側上下風向板２１の回動軸２１ａに直交する方向に沿う当該壁面側上下風向板２１の長さＬ２よりも長く形成されている。即ち、室内機１０は、主として風向の調整機能を担う室内側上下風向板３１の方が、主として空気吹出し口１５の延長機能を担う壁面側上下風向板２１よりも長くなっている構成となっている。よって、特に図２に示す開状態においては、室内側上下風向板３１の方が壁面側上下風向板２１よりも、風が流れる方向に沿って室内に突出した状態となる。なお、室内機１０は、１枚の室内側上下風向板３１を備える構成に限られるものではなく、複数の室内側上下風向板３１を備える構成としてもよい。
【００１６】
図３及び図４にも示すように、左右風向板４１は、空気吹出し口１５に着脱可能に取り付けられる左右風向板ユニット５１に備えられている。この場合、左右風向板ユニット５１は、空気吹出し口１５の壁面側の傾斜部１５ａに形成された凹部１５ｂに着脱可能に取り付けられるようになっている。左右風向板ユニット５１は、凹部１５ｂに取り付けられるベース部５１ａと、ベース部５１ａの裏面側に設けられたリンク機構部５１ｂと、を備える。
【００１７】
ベース部５１ａには、その長手方向に沿って複数の左右風向板４１の回動軸４１ａが左右方向に回動可能に差し込まれている。また、左右風向板ユニット５１が傾斜部１５ａの凹部１５ｂに取り付けられた状態では、ベース部５１ａの表面は、傾斜部１５ａの表面と面一な状態となる。リンク機構部５１ｂは、周知の構成により、ベース部５１ａの裏側において複数の左右風向板４１の回動軸４１ａを連結している。そして、リンク機構部５１ｂは、複数の左右風向板４１を連動して回動させる。
【００１８】
また、図３に例示するように、複数の左右風向板４１の回動軸４１ａ間に形成されるスペースには、突起部６１が設けられている。図４に例示するように、この突起部６１は、左右風向板ユニット５１が傾斜部１５ａの凹部１５ｂに取り付けられた状態では、空気吹出し口１５の内方に向かって突出する。このように、空気吹出し口１５の内方に向かって突起部６１が突出していることで、空気吹出し口１５から吹き出される風に、いわゆるサージングが発生してしまうことを回避することができる。
【００１９】
この場合、左右風向板ユニット５１は、空気吹出し口１５の長手方向に沿って２つに分割されており、即ち、空気吹出し口１５の左部に着脱可能に取り付けられる左部ユニット５１Ａと、空気吹出し口１５の右部に着脱可能に取り付けられる右部ユニット５１Ｂとに分割されている。そして、左右風向板ユニット５１は、左部ユニット５１Ａに設けられる突起部６１の数と右部ユニット５１Ｂに設けられる突起部６１の数とを異ならせている。この場合、左部ユニット５１Ａに設けられている突起部６１の数は１つであり、右部ユニット５１Ｂに設けられている突起部６１の数は２つである。
【００２０】
なお、図示はしないが、左右風向板ユニット５１は、左部ユニット５１Ａに設けられる突起部６１の高さと右部ユニット５１Ｂに設けられる突起部６１の高さとを異ならせる構成としてもよい。なお、突起部６１の高さは、換言すれば、突起部６１の空気吹出し口１５の内方への突出量である。また、突起部６１は、複数の左右風向板４１の回動軸４１ａ間に形成される複数のスペースのうち少なくとも１つのスペースに設けられるものであるが、その設置数は、適宜変更して実施することができる。
【００２１】
本実施形態に係る空気調和機の室内機１０によれば、最も壁面側に設けられている壁面側上下風向板２１は、その回動軸２１ａが横流ファン１３の回転軸１３ａよりも壁面側に設けられている。また、室内機１０によれば、壁面側上下風向板２１が下方に回動することに伴い当該壁面側上下風向板２１の壁面側の端部２１ｂが空気吹出し口１５内に入り込むように移動する。
【００２２】
この構成によれば、横流ファン１３の大型化に伴い通風路１６の風路長、特に空気吹出し口１５の風路長を十分に確保することが困難となった構成であっても、下方に回動した壁面側上下風向板２１により空気吹出し口１５の風路長を延長した構成を実現することができる。よって、横流ファン１３の径寸法を大きくしても、壁面側上下風向板２１により風路長が延長された空気吹出し口１５において十分な静圧回復が実現されることを期待することができ、送風性能の低下を抑えることができる。
【００２３】
また、室内機１０によれば、壁面側上下風向板２１の壁面側の端部２１ｂが空気吹出し口１５内に位置する状態では、当該壁面側上下風向板２１の室内側の面だけでなく壁面側の面にも風が流れる。そのため、壁面側上下風向板２１の片面、この場合、室内側の面のみが一方的に冷却されることにより当該壁面側上下風向板２１に結露が発生してしまうことを回避することができる。
【００２４】
また、室内機１０によれば、主として風向の調整機能を担う室内側上下風向板３１の方が、主として空気吹出し口１５の延長機能を担う壁面側上下風向板２１よりも、風が流れる方向の寸法が長くなっている。この構成によれば、風が流れる方向の寸法が長い室内側上下風向板３１により、風向を効果的に調整することができる。従って、壁面側上下風向板２１を空気吹出し口１５の延長機能を発揮する風向板に特化させたとしても、つまり、風向の調整機能を担う上下風向板の数を減らしたとしても、風向の調整機能が損なわれることを回避できる。
【００２５】
また、室内機１０によれば、空気吹出し口１５に着脱可能な左右風向板ユニット５１に複数の左右風向板４１を設け、さらに、この左右風向板ユニット５１に、いわゆるサージングの抑制機能を発揮する突起部６１を設けている。即ち、突起部６１は、左右風向板ユニット５１を介して空気吹出し口１５に間接的に設けられている。この構成によれば、空気吹出し口１５に左右風向板ユニット５１を取り付ける前に突起部６１を設けることができ、空気吹出し口１５に直接的に突起部を設ける構成に比べ、突起部６１の設置位置や設置角度などの調整が容易である。
【００２６】
また、室内機１０によれば、左右風向板ユニット５１は、空気吹出し口１５の左部に取り付けられる左部ユニット５１Ａと空気吹出し口１５の右部に取り付けられる右部ユニット５１Ｂとに分割されている。空気吹出し口１５の長手方向の左右においては、例えば風速の分布や風量の分布の違いによりサージングが発生しやすい部位が異なる場合がある。本実施形態によれば、左右風向板ユニット５１が左部ユニット５１Ａと右部ユニット５１Ｂとに分割されているから、左部ユニット５１Ａにおける突起部６１の位置や高さ、右部ユニット５１Ｂにおける突起部６１の位置や高さを、それぞれ別個に設計することができる。そのため、空気吹出し口１５の長手方向の左部において最適な位置に最適な形状の突起部６１を設けることができ、また、空気吹出し口１５の長手方向の右部において最適な位置に最適な形状の突起部６１を設けることができる。また、室内機１０によれば、左右風向板ユニット５１の着脱は、左部ユニット５１Ａと右部ユニット５１Ｂとに分けて行うことができ、その着脱作業が容易である。
【００２７】
本実施形態に係る空気調和機の室内機は、室内機本体部と、空気吸込み口と、空気吹出し口と、通風路と、横流ファンと、複数の上下風向板と、を備える。室内機本体部は、室内の壁面に取り付けられる。空気吸込み口及び空気吹出し口は、室内機本体部に設けられる。通風路は、室内機本体部内に設けられ、空気吸込み口と空気吹出し口とを連通する。横流ファンは、通風路内において回転することにより、室内の空気を空気吸込み口から吸い込み空気吹出し口から吹き出すように送風する。上下風向板は、空気吹出し口において上下方向に回動することにより、当該空気吹出し口から吹き出される空気の上下方向の向きを変化させる。そして、複数の上下風向板のうち最も壁面側に設けられている壁面側上下風向板は、その回動軸が横流ファンの回転軸よりも壁面側に設けられており、且つ、当該壁面側上下風向板が下方に回動することに伴い当該壁面側上下風向板の壁面側の端部が空気吹出し口内に移動する。この構成によれば、横流ファンの径寸法を大きくしても送風性能の低下を抑えることができる。
【００２８】
本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態及びその変形は、発明の範囲及び要旨に含まれるとともに、特許請求の範囲に記載された発明とその均等の範囲に含まれる。
【符号の説明】
【００２９】
図面中、１０は空気調和機の室内機、１１は室内機本体部、１３は横流ファン、１３ａは横流ファンの回転軸、１４は空気吸込み口、１５は空気吹出し口、１６は通風路、２１は壁面側上下風向板（上下風向板）、２１ａは壁面側上下風向板の回動軸、３１は室内側上下風向板（上下風向板）、４１は左右風向板、５１は左右風向板ユニット、５１Ａは左部ユニット、５１Ｂは右部ユニット、６１は突起部、を示す。
【図１】
0006774161.tif 000002
【図２】
0006774161.tif 000003
【図３】
0006774161.tif 000004
【図４】
0006774161.tif 000005